(57)【特許請求の範囲】
【請求項１】
一面が開放された箱体である外箱と、
前記外箱の前記開放された一面を塞ぐように着脱自在に設置されたパネルと、
前記外箱内に設けられ、前記パネルに形成された空気の吸込口から前記パネルに形成された空気の吹出口に至る空気の通路となる風路と、
前記風路内に設けられた送風手段および熱交換器と、
前記熱交換器の下方に配置され、前記熱交換器で発生したドレン水を受けるドレンパンと、
前記ドレンパンの上方に配置され、前記ドレンパンに溜まったドレン水を前記外箱の外に排出するドレンポンプと、
前記ドレンポンプの下方で、前記ドレンパンに設けられたドレン排出口と、
前記ドレン排出口を塞ぎ、透明な材料からなる点検窓を具備するドレンプラグと、
前記ドレンプラグの前記点検窓に対向する位置に装着され、前記点検窓との間に空気層を形成する蓋と、
を備え、
前記ドレンプラグは筒状部を具備し、前記点検窓は前記筒状部の上端側に設けられ、前記蓋は前記筒状部の下端側を開閉自在であって、
前記蓋が前記筒状部の下端側を閉じた際、前記空気層が形成され、
前記点検窓は硬質透明樹脂によって形成され、窓平面部と前記窓平面部の周囲に一体形成された窓筒状部とを有し、前記窓筒状部の外周を包囲するように前記筒状部が設けられ、
前記蓋は前記筒状部の下端側にヒンジ部を介して一体的に形成され、
前記蓋および前記筒状部は軟質系樹脂または合成ゴムによって形成され、
前記蓋は蓋本体部と前記蓋本体部の周囲に一体形成された板状の蓋フランジ部と前記蓋本体部の周囲に前記蓋フランジ部に対して垂直に突出した蓋突起部とを具備し、
前記蓋が前記筒状部の下端側を閉じた際、前記蓋本体部は前記筒状部に押し込められ、前記蓋本体部の外周は前記筒状部の内周に嵌め込まれ、前記蓋突起部は前記窓筒状部に押し込まれ、前記蓋突起部の外周は前記窓筒状部の内周に嵌め込まれることを特徴とする空気調和機の室内機。
【請求項２】
前記ドレン排出口が、前記ドレンパンにインサート成形されたドレンソケットに形成され、前記ドレンプラグは前記ドレンソケットに着脱自在に設置されていることを特徴とする請求項１に記載の空気調和機の室内機。
【発明の詳細な説明】
【技術分野】
【０００１】
本発明は空気調和機の室内機、特に、天井埋込形の空気調和機の室内機に関するものである。
【背景技術】
【０００２】
従来の天井埋込カセット形等の空気調和機の室内機には、熱交換器より発生する凝縮水を貯留するドレンパンと、凝縮水を機外に排出するドレンポンプが取り付けられているが、一定期間運転を続けると、空気中のゴミや細菌から成るヘドロやスライムがドレンパンに溜まる。そうすると、ドレンポンプの吸込口に汚れが詰まり、ドレンポンプが故障してドレンパンからの排水が不能になり、凝縮水がオーバーフローする。
このため、ヘドロやスライムがドレンパンに溜まっているかどうかを定期的に点検し、溜まっている場合には、ドレンパン内部とドレンポンプを清掃する必要がある。
【０００３】
そのため、定期的に内部の汚れ具合を点検する際に、ドレンパン自体を空気調和機の室内機本体から取り外す手間を省くため、例えば、ドレンパンの底部の一部に透明若しくは半透明の「膨出部」を設け、室内側からドレンパン内での水位の変化等を視認可能にした空気調和装置のドレン排水確認構造が知られている（例えば、特許文献１参照）。
また、特許文献１に開示された膨出部に代えて、ドレンパンの排水口を塞ぐドレンプラグを透明または半透明にした空気調和機の室内機が開示されている（例えば、特許文献２参照）。
【先行技術文献】
【特許文献】
【０００４】
【特許文献１】特開平９−５３８３７号公報（第４−５頁、図４）
【特許文献２】特許第４２６５８００号公報（第４−５頁、図３）
【発明の概要】
【発明が解決しようとする課題】
【０００５】
特許文献１に開示されたドレン排水確認構造は、ドレンの水位が低下し、膨出部の一部がドレンの水面上にあらわれたときに視認される気層部分と水層部分との境界線を観察するものである。そのため、ドレンの量（水位）の変化を知ることはできるものの、ドレンパン内部の汚れ状況、特に、ドレンポンプの周辺の汚れ状況を点検することができないという問題があった。
【０００６】
特許文献２に開示された空気調和機の室内機は、ドレンパンの定期的な点検の際、ドレンパンを空気調和機の室内機本体から取り外す手間を省くことができると共に、ドレンパンに別途覗き窓を設けなくても、ドレンパン内部の汚れを点検することができるという優れた効果が得られる。
しかしながら、特許文献２に開示された空気調和機の室内機のドレンパンは、ドレンポンプの真下付近に自然排水を行う予備排水口（以下「ドレン排出口」と称す）と、このドレン排出口を塞ぐ「透明な材料からなるドレンプラグ」とが備えられるため、ドレンプラグの上面は貯溜している凝縮水に触れ、ドレンプラグの下面は室内空気に晒されている。このため、ドレンプラグの内外（上下）の温度差によって、ドレンプラグに結露が生じ、ドレンパン内部の視認性が劣るという問題があった。
また、ドレンプラグが中空成形による多層構成（透明樹脂＋空気層＋透明樹脂）であるため、ドレンポンプ取水口までの距離と２層の透明樹脂とを通して目視するため、視認性が劣るという問題があった。
【０００７】
本発明は、前記問題を解決するためになされたもので、ドレンパン内部の視認性を高めることができる空気調和機の室内機を提供することを目的とする。
【課題を解決するための手段】
【０００８】
本発明に係る空気調和機の室内機は、一面が開放された箱体である外箱と、前記外箱の前記開放された一面を塞ぐように着脱自在に設置されたパネルと、前記外箱内に設けられ、前記パネルに形成された空気の吸込口から前記パネルに形成された空気の吹出口に至る空気の通路となる風路と、前記風路内に設けられた送風手段および熱交換器と、前記熱交換器の下方に配置され、前記熱交換器で発生したドレン水を受けるドレンパンと、前記ドレンパンの上方に配置され、前記ドレンパンに溜まったドレン水を前記外箱の外に排出するドレンポンプと、前記ドレンポンプの下方で、前記ドレンパンに設けられたドレン排出口と、前記ドレン排出口を塞ぎ、透明な材料からなる点検窓を具備するドレンプラグと、前記ドレンプラグの前記点検窓に対向する位置に装着され、前記点検窓との間に空気層を形成する蓋と、を備え、前記ドレンプラグは筒状部を具備し、前記点検窓は前記筒状部の上端側に設けられ、前記蓋は前記筒状部の下端側を開閉自在であって、前記蓋が前記筒状部の下端側を閉じた際、前記空気層が形成され、前記点検窓は硬質透明樹脂によって形成され、窓平面部と前記窓平面部の周囲に一体形成された窓筒状部とを有し、前記窓筒状部の外周を包囲するように前記筒状部が設けられ、前記蓋は前記筒状部の下端側にヒンジ部を介して一体的に形成され、前記蓋および前記筒状部は軟質系樹脂または合成ゴムによって形成され、前記蓋は蓋本体部と前記蓋本体部の周囲に一体形成された板状の蓋フランジ部と前記蓋本体部の周囲に前記蓋フランジ部に対して垂直に突出した蓋突起部とを具備し、前記蓋が前記筒状部の下端側を閉じた際、前記蓋本体部は前記筒状部に押し込められ、前記蓋本体部の外周は前記筒状部の内周に嵌め込まれ、前記蓋突起部は前記窓筒状部に押し込まれ、前記蓋突起部の外周は前記窓筒状部の内周に嵌め込まれることを特徴とする。
【発明の効果】
【０００９】
本発明は、ドレンプラグの透明な点検窓と蓋との間に空気層が形成されるため、点検窓の結露が抑制され、また、ドレンプラグの蓋を開閉可能としているため、蓋を開いた状態において、より近い距離でドレンポンプの汚れ具合を確認することができるため、ドレンパン内の点検の際の視認性を高めることができる。よって、点検作業を容易で迅速に行うことができる。
【図面の簡単な説明】
【００１０】
【図１】本発明の実施の形態１に係る天井埋込カセット形空気調和機の室内機を説明する外観斜視図。
【図２】図１に示す室内機の縦断面の一部を拡大して示す断面図。
【図３】図１に示す室内機の一部（ドレンパン排水口付近）を拡大して示す断面図。
【図４】図１に示す室内機の一部（ドレンパン排水口付近）の部材を分解して示す断面図。
【図５】図１に示す室内機のドレンパン内部の点検清掃作業の手順を示すフローチャート。
【図６】図１に示す室内機の一部（ドレンプラグ）の実施例を示す断面図。
【図７】図１に示す室内機の一部（ドレンプラグ）の実施例を示す断面図。
【発明を実施するための形態】
【００１１】
［実施の形態１：天井埋込カセット形空気調和機の室内機］
図１〜図６は本発明の実施の形態１に係る天井埋込カセット形空気調和機の室内機を説明するものであって、図１は外観斜視図、図２は縦断面（図１のＡ−Ａ断面）の一部を拡大して示す断面図、図３は一部（ドレンパン排水口付近）を拡大して示す断面図、図４は一部（ドレンパン排水口付近）の部材を分解して示す断面図、図５はドレンパン内部の点検清掃作業の手順を示すフローチャート、図６および図７は一部（ドレンプラグ）の実施例を示す断面図である。
なお、各図において同じ部分または相当する部分には同じ符号を付し、一部の説明を省略する。また、以下、天井埋込カセット形空気調和機の室内機について説明しているが、本発明はこれに限定するものではなく、その他の天井埋込形（ダクト式）や天吊形（天井面に設置され、天井面から突出している）の空気調和機の室内機であってもよい。
【００１２】
（天井埋込カセット形空気調和機の室内機）
図１において、天井埋込カセット形空気調和機の室内機（以下「室内機」と称す）２０は、一面が開口した外箱１と、外箱１の開口した一面側に樹脂からなる化粧パネル１４が当接接合されている。化粧パネル１４の中央付近に空気を吸い込む吸込口２１があり、その周囲の４箇所（四辺）に空気を吹き出す吹出口２２が形成されている。
化粧パネル１４の四隅（コーナー部）には、化粧パネル１４とは別部品のコーナーパネル１３が配置され、化粧パネル１４に嵌め込み（上下方向と水平方向）と、ネジ（図示せず）とによって取り付けられている。
【００１３】
（全体構成）
図２において、室内機２０の全体構成を簡単に説明する。室内機２０は断熱材４が内面に施された外箱１（下方の一面が開口している、室内機本体に相当する）に、化粧パネル１４が当接接合され、固定ボルト３により据付金具９を介して天壁３０に固定されている。
外箱１の内部中央付近に、ファン２ｂをファンモータ２ａで駆動する室内送風機２が設置され、その周囲を取り囲むように熱交換器５が配設されている。すなわち、室内送風機２によって吸込口２１から吹出口２２に至る風路８が外箱１内に形成され、風路８内に熱交換器５が配置されている。
【００１４】
(ドレンポンプ)
熱交換器５の下方に、熱交換器５で発生する凝縮水を一時貯留するドレンパン７が設置されている。ドレンパン７の材質は、例えば、発泡スチロールで、表面に合成樹脂からなるスキン層７ａが設置されている。
ドレンパン７の一つの隅の上方にはドレンポンプ６が配置され、ドレンポンプ６は断熱材４を貫通し、ドレンポンプ取付金具６ｂにより断熱材４に固定される。ドレンポンプ６には凝縮水を外部に排出するドレンホース６ａが取付けられている。そして、ドレンポンプ６に接続されたドレンホース６ａが外箱１の側壁２３から外部に延びている（図１参照）。
そして、ドレンパン７に溜まった凝縮水は、ドレンポンプ６で室内機２０の外に排出される。なお、図２中の符号「１０、１１、１２」については、図３および図４において詳細に説明する。
【００１５】
（ドレン排出口付近の構成）
図３および図４において、ドレンパン７のドレン排出口付近の構成を詳細に説明する。
熱交換器５は平面視で略矩形状であって、熱交換器５の下方にドレンパン７が配置されるため、ドレンパン７も平面視で略矩形状を呈した樋になっている。
そして、ドレンパン７の四隅のうちの特定の隅の直上にドレンポンプ６が配置され、ドレンポンプ６の真下の部分に、ドレンポンプ６の取水口６ａの外径より大きく開口したドレン排出口１０ａを具備するドレンソケット１０が、ドレンパン７にインサート成形されている。
そして、ドレン排出口１０ａにドレンプラグ１１が着脱自在に設置されている。すなわち、ドレンポンプ６の故障時やドレンパン７の清掃作業などメンテナンスが必要性となる場合以外は、常時、ドレン排出口１０ａはドレンプラグ１１によって塞がれている。
【００１６】
（ドレンプラグ）
ドレンプラグ１１は、筒状部１１ｄと、筒状部１１ｄの上端側に設置され、筒状部１１ｄの上端側を密閉する点検窓１１ｆと、筒状部１１ｄの下端側に設置され、外周方向に突出したフランジ部１１ｂと、フランジ部１１ｂの一部にヒンジ部１１ｃを介して一体形成された蓋１１ｅとを具備している。
そして、点検窓１１ｆは硬質透明樹脂によって形成され、筒状部１１ｄは点検窓１１ｆの外周を覆うように軟質系樹脂または合成ゴムによって形成されている。
ドレンプラグ１１の筒状部１１ｄの外周面には、ドレン排出口１０ａの内径より大きい外径の複数本のリング状の凸筋１１ａが形成され、ドレンプラグ１１（筒状部１１ｄ）がドレン排出口１０ａに設置された際、凸筋１１ａは弾性変形して圧入され、「シール部」として機能している。
【００１７】
（蓋）
蓋１１ｅはヒンジ部１１ｃにおいて折り畳まれ、筒状部１１ｄの下端側を閉じた状態で、ドレンプラグ１１はドレンソケット１０（ドレン排出口１０ａ）に取り付けられている。
このとき、筒状部１１ｄの内周面と、点検窓１１ｆの下面と、蓋１１ｅの上面とによって、密閉空間が形成されているから、点検窓１１ｆと蓋１１ｅとの間に空気層が形成される。かかる空気層による断熱効果によって、点検窓１１ｆの上面と下面との温度差が緩和されるため、点検窓１１ｆに生じる結露の発生が抑制されている。
また、蓋１１ｅが筒状部１１ｄにヒンジ部１１ｃを介して一体成形されているため、主機能である止水や、二次機能である点検や断熱（前記空気層が断熱機能を発揮する）という複数の機能を１部品に集約した構成にすることができるため、低コスト化を図ることができる。
なお、本発明は前記一体成形に限定するものではなく、蓋１１ｅと筒状部１１ｄ（点検窓１１ｆが一体形成されている）とを別々に成形し、蓋１１ｅを筒状部１１ｄの下端に設置した際、前記空気層が形成されるようにしてもよい。
また、蓋１１ｅは軟質系樹脂または合成ゴムによって形成されているが、本発明はこれに限定するものではなく、硬質透明樹脂によって形成してもよい。
【００１８】
（ドレンキャップ）
また、ドレンプラグ１１の抜け防止の目的で、ドレンプラグ１１の底面に当接させ、化粧パネル１４に設置（締結）されるドレンキャップ１２が設けられている。
ドレンキャップ１２は、内部中央付近にドレンソケット１０のドレン排出口１０ａの内径よりも大きい内径を具備する水受け部１２ａが形成され、水受け部１２ａにおいてドレンプラグ１１を抜けないように押さえている。
ドレンキャップ１２は、水受け部１２ａの外周の一部に外周方向に突出した引っ掛け足１２ｄが形成され、引っ掛け足１２ｄに対向する位置に外周方向（引っ掛け足１２ｄとは反対の方向）に突出したネジ孔を具備する固定部１２ｆが形成されている。そして、引っ掛け足１２ｄを化粧パネル１４に形成された引っ掛け部１４ｂに引っ掛け、更にネジ１７によって固定部１２ｆを化粧パネル１４のボス部１４ａに固定している。したがって、ドレンキャップ１２を、化粧パネル１４にドライバーのみで容易に取り付けることができ、化粧パネル１４からドライバーのみで容易に取り外すことができる。
【００１９】
ドレンキャップ１２の外面には下方に突出したホース接続口１２ｅが形成され、ホース接続口１２ｅの外周部には、環状に突出した「カエシ１２ｃ」が設けられている。したがって、ドレンポンプ６の故障時、ホース接続口１２ｅにホースを接続することによって、ドレン水を排出することができ、このとき、ホースはカエシ１２ｃによって抜け難くなっている。
【００２０】
（ドレンパン内部の点検・清掃作業）
ドレンポンプ６は、既に述べたように一定期間運転を続けると、空気中のゴミや細菌から成るヘドロやスライムにより、ドレンポンプ６の取水口６ｃに汚れが詰まり、ドレンポンプ６が故障し、ドレン水がドレンパン７からオーバーフローする。このため、ドレンパン７の内部を点検して、汚れ具合がひどく清掃作業が必要と判断した場合には、ドレンパン７を外箱１から取り外して、ドレンパン７の内部とドレンポンプ６を定期的に清掃する必要がある。
【００２１】
図５において、ドレンパン７の内部の汚れを点検する作業手順を説明する。
先ず、ドレンソケット１０の下方のコーナーパネル１３（４枚のうちの１枚のみ）を化粧パネル１４から取り外す（Ｓ１）。
次に、ドレンキャップ１２のネジ１７と引っ掛け足１２ｄを外して、化粧パネル１４からドレンキャップ１２を取り外す（Ｓ２）。
そうすると、ドレンプラグ１１が剥き出しになって見えるため、ドレンプラグ１１の筒状部１１ｄ下端を塞いでいた蓋１１ｅの一端を指でつまみながら引き下げ、筒状部１１ｄ下端を開放する（Ｓ３）。
そうすると、透明の点検窓１１ｆを透過して、ドレンパン７の内部を視認することが可能になるから、ドレンパン７の内部とドレンポンプ６の取水口６ｃの汚れ状態を点検する（Ｓ４）。
そして、汚れ具合がひどく清掃作業が必要と判断した場合には、清掃作業に移行し、清掃作業が不要と判断した場合には、終了作業に移行する（Ｓ５）。
【００２２】
（清掃作業）
清掃作業が必要と判断した場合、まず、ドレンプラグ１１をドレンソケット１０から取り外す（Ｓ６）。
そうすると、ドレン排出口１０ａが開放されるから、ドレンパン７の内部に溜まっていたドレン水を排出する（Ｓ７）。
そして、ドレン水を抜いた状態で、ドレンパン７を外箱１より取外し、ドレンパン７の内部やドレンポンプ６の取水口６ｃなどに付着した汚れを落とす（Ｓ８）。
【００２３】
（終了作業）
付着した汚れが除去されたドレンパン７を外箱１に取り付ける（Ｓ１１）。
次に、ドレンプラグ１１をドレンソケット１０に設置（圧入）する（Ｓ１２）。
そこで、ドレンプラグ１１の筒状部１１ｄの下端を蓋１１ｅによって塞ぐ（Ｓ１３）。
ドレンキャップ１２の引っ掛け足１２ｄを引っ掛け、ネジ１７を設置して、化粧パネル１４にドレンキャップ１２を取り付ける（Ｓ１４）。
最後に、取り外していたコーナーパネル１３を化粧パネル１４に取り付ける（Ｓ１５）。
【００２４】
なお、予め、筒状部１１ｄの下端を蓋１１ｅによって塞いだ状態のドレンプラグをドレンソケット１０に設置してもよい（Ｓ１２よりもＳ１３が先行してもよい）。
また、清掃作業が不要と判断した場合には、Ｓ１１およびＳ１２の工程が不要であるから、Ｓ１３の工程から終了作業が開示されることになる。
【００２５】
以上のように、室内機２０は構成されているため、ドレンパン７の内部の点検作業を実施する際、ドレンパン７を取り外す必要がなく、ドレンプラグ１１の点検窓１１ｆを透過して、ドレンパン７の内部や、ドレンポンプ６の取水口６ｃの汚れ、詰まり、動作確認などを容易に点検することができる。
このとき、常時（点検時を除く時間）、点検窓１１ｆと蓋１１ｅとの間には空気層が形成され、点検窓１１ｆの上面と下面との温度差が緩和されているため、点検窓１１ｆへの結露が抑制されるから、点検窓１１ｆを透過したドレンパン７の内部の視認性が向上している。
また、ドレン排水口１０ａの開口面積（内径）を、ドレンポンプ６の取水口６ｃの面積（外径）より大きくしたことにより、ドレンパン７の内部のより広範囲の状態を点検することができる。
なお、ドレンポンプ６の羽根の色を白などの明るい色にすれば、回転確認がし易くなる。
【００２６】
（ドレンプラグの実施例１）
図６の（ａ）において、ドレンプラグ１１０は、点検窓１１ｆが、窓平面部１１１ｆと、窓平面部１１１ｆの周囲に一体形成された窓筒状部１１２ｆとを有し、窓筒状部１１２ｆの外周を包囲（把持）するように筒状部１１ｄが設けられている（インサート成形されている）。
また、蓋１１ｅは、蓋本体部１１１ｅと、蓋本体部１１１ｅの周囲に一体形成され、ヒンジ部１１ｃにおいてフランジ部１１ｂに接続されて板状の蓋フランジ部１１２ｅと、蓋本体部１１１ｅの周囲に蓋フランジ部１１２ｅに対して垂直に突出した蓋突起部１１３ｅと、を具備している。
【００２７】
図６の（ｂ）において、ドレンプラグ１１０は、蓋１１ｅがヒンジ部１１ｃにおいて折り畳まれ、筒状部１１ｄの下端側が閉じられている。
すなわち、フランジ部１１ｂと蓋フランジ部１１２ｅが当接し、蓋本体部１１１ｅは筒状部１１ｄに押し込められ（嵌入され）、蓋本体部１１１ｅの外周は筒状部１１ｄの内周に嵌め込まれている。また、蓋突起部１１３ｅは窓筒状部１１２ｆに押し込まれ（嵌入され）、蓋突起部１１３ｅの外周は窓筒状部１１２ｆの内周に嵌め込まれている。
なお、ヒンジ部１１ｃにおいて、フランジ部１１ｂと蓋フランジ部１１２ｅとを分離し、フランジ部１１ｂと蓋フランジ部１１２ｅとを別個に形成してもよい。また、点検窓１１ｆは硬質透明樹脂によって形成され、筒状部１１ｄおよび蓋１１ｅは軟質系樹脂または合成ゴムによって形成されている。
【００２８】
（ドレンプラグの実施例２）
図７の（ａ）において、ドレンプラグ１２０は、ドレンプラグ１１０における蓋１１ｅの蓋本体部１１１ｅを、硬質透明樹脂によって形成された蓋本体部１１１ｇに置き換えた透明蓋１１ｇにしたものである。したがって、ドレンプラグ１２０によると、点検作業において、透明な蓋本体部１１１ｇおよび点検窓１１ｆの両方を透過してドレンパン７の内部を点検することができるから、筒状部１１ｄ下端を開放する工程（Ｓ３）が不要になる。すなわち、作業がさらに容易で迅速になる。
【００２９】
（ドレンプラグの実施例３）
図７の（ｂ）において、ドレンプラグ１３０は、ドレンプラグ１２０におけるヒンジ部１１ｃを撤去して、フランジ部１１ｂと蓋フランジ部１１２ｅを一体にしたものに相当する。すなわち、透明な点検窓１１ｆおよび透明な蓋本体部１１１ｇの外周を取り囲むように筒状部１１ｄが設けられている。
したがって、ドレンプラグ１３０によると、ドレンプラグ１２０と同様に、筒状部１１ｄ下端を開放する工程（Ｓ３）が不要になる。すなわち、作業がさらに容易で迅速になる。
【００３０】
さらに、以上は、ドレンキャップ１２が不透明な材料によって形成されたものを示しているが、本発明はこれに限定するものではなく、透明材料によって形成してもよい。そうすると、ドレンプラグ１２０またはドレンプラグ１３０が設置された場合、点検作業において、透明なドレンキャップ１２、蓋１１ｅおよび点検窓１１ｆの全てを透過してドレンパン７の内部を点検することができるから、化粧パネル１４からドレンキャップ１２を取り外す工程（Ｓ２）および筒状部１１ｄの下端を開放する工程（Ｓ３）の両方が不要になる。すなわち、作業がさらに容易で迅速になる。
【符号の説明】
【００３１】
１  外箱、２  室内送風機、２ａ  ファンモータ、２ｂ  ファン、３  固定ボルト、４  断熱材、５  熱交換器、６  ドレンポンプ、６ａ  ドレンホース、６ｂ  ドレンポンプ取付金具、６ｃ  取水口、７  ドレンパン、７ａ  スキン層、８  風路、９  据付金具、１０  ドレンソケット、１０ａ  ドレン排出口、１１  ドレンプラグ、１１ａ  凸筋、１１ｂ  フランジ部、１１ｃ  ヒンジ部、１１ｄ  筒状部、１１ｅ  蓋、１１ｆ  点検窓、１１ｇ  透明蓋、１２  ドレンキャップ、１２ａ  水受け部、１２ｃ  カエシ、１２ｄ  引っ掛け足、１２ｅ  ホース接続口、１２ｆ  固定部、１３  コーナーパネル、１４  化粧パネル、１４ａ  ボス部、１４ｂ  引っ掛け部、１７  ネジ、２０  室内機、２１  吸込口、２２  吹出口、２３  側壁、３０  天壁、１１０  ドレンプラグ（実施例１）、１１１ｅ  蓋本体部、１１１ｆ  窓平面部、１１１ｇ  蓋本体部、１１２ｅ  蓋フランジ部、１１２ｆ  窓筒状部、１１３ｅ  蓋突起部、１２０  ドレンプラグ（実施例２）、１３０  ドレンプラグ（実施例３）。
【図１】
0005840021.tif 000002
【図２】
0005840021.tif 000003
【図３】
0005840021.tif 000004
【図４】
0005840021.tif 000005
【図５】
0005840021.tif 000006
【図６】
0005840021.tif 000007
【図７】
0005840021.tif 000008